(57)【要約】【課題】占有空間をより少なくして、ドラムの径をより大きくすることのできる遊技機用回転ドラムユニットを提供する。【解決手段】フレーム１０の左半部１０ｂの正面内側には、内フレーム１２のベースフレーム１２１が固定されている。内フレーム１２は、ドラムを保持するためのものであり、ドラムの周面壁に取り囲まれるようになっている。ベースフレーム１２１は、正面が開放された箱状に形成されており、右端部にモータ基板を収容し、正面内側に中継基板４０を収容するようになっている。【効果】従来、フレームの外側に取り付けられていた電気回路基板をフレーム内に収容することができ、遊技機用回転ドラムユニットの占有空間をより少なくして、ドラムの径をより大きくすることができる。【選択図】            図５
2004290526.tif 000002
【特許請求の範囲】
【請求項１】
フレームと、
上記フレーム内に収容された、中空の回転体を有するドラムと、
上記ドラム内に収容され、ドラムを回転させるためのモータが固定されたモータ駆動用電気回路基板と、
上記モータ駆動用電気回路基板に連結されており、上記ドラム内においてドラムの軸方向に延び、ドラムの一方の側端からドラムおよび上記フレームの外方へその一部が突出している中継用電気回路基板と、
中継用電気回路基板の上記突出部に配置された、接続手段を接続するためのコネクタと、
を有することを特徴とする遊技機用回転ドラムユニット。
【請求項２】
上記モータ駆動用電気回路基板には、対をなすコネクタのうちの一方が実装されており、
上記中継用電気回路基板には、対をなすコネクタのうちの他方が実装されており、
中継用電気回路基板をドラムの一方の側端からドラム内へ差し込むことにより、中継用電気回路基板のコネクタと、モータ駆動用電気回路基板のコネクタとが結合されて、両者の電気的かつ機械的な連結が達成されることを特徴とする請求項１記載の遊技機用回転ドラムユニット。
【請求項３】
上記中継用電気回路基板は、ランプの点灯制御用電気回路基板を兼ねていることを特徴とする請求項１または２記載の遊技機用回転ドラムユニット。
【請求項４】
上記ドラム内には、さらに、複数のランプが配置されたランプ基板が収容されており、
ランプ基板と中継用電気回路基板とを接続する接続手段が備えられていることを特徴とする請求項３記載の遊技機用回転ドラムユニット。
【発明の詳細な説明】
【０００１】
【発明の属する技術分野】
この発明は、遊技機の部品、特に、回転ドラムユニットに関し、さらに詳細には、回転ドラムユニットにおける電気配線構造に関する。
【０００２】
【従来の技術】
たとえばパチンコ機には、回転ドラムユニットを有するものがある。通常、回転ドラムユニットは、フレームと、このフレームに収容されるドラムと、このドラムを軸支するモータとを有しており、モータを回転してドラムを回転するようになっている。
通常、モータは、ドラムの軸方向側方に配置されるモータ基板などの板状部材に固定され、板状部材は、その端辺がフレームの内側に支持されている（たとえば、特許文献１参照）。また、フレームの背面（外表面）には、中継基板などの電気回路基板が取り付けられており、上記モータ基板と中継基板とは、ハーネスを介して接続されるようになっている。
【０００３】
このため、フレームの背面には、上記ハーネスを通すための孔が形成されており、モータ基板に接続されたハーネスは、この孔を通ってフレームの外方へ延びている。このハーネスは、複数の配線（たとえば、モータ基板１個につき８本）を有しており、ドラムが３個備えられている場合、上記配線の数は、たとえば計２４本となる。
また、通常、フレーム内において、ドラムの近傍には、複数のランプを有するランプ基板が配置されており、各ランプがドラムを種々の態様で照らすことにより、遊技の興趣を向上するようになっている（たとえば、特許文献２参照）。このランプ基板は、ハーネスを介して上記中継基板と接続されている。通常、このハーネスは、種々の制御信号を送信できるように、多数の配線（たとえば、１００本）を有している。
【０００４】
また、中継基板は、回転ドラムユニットと離れて配置される図柄制御基板にハーネスを介して接続されている。上記の構成により、図柄制御基板から与えられるモータやランプなどの制御信号は、中継基板を介してモータ基板やランプ基板に与えられるようになっている。このため、中継基板と図柄制御基板とを接続するハーネスは、モータ基板とランプ基板の両方に制御信号を送信できるように、多数の配線（たとえば、モータ基板用の配線２４本とランプ基板用の配線１００本の計１２４本）を有している。
【０００５】
【特許文献１】
特開平８−２０６３０３号公報。
【特許文献２】
特開平６−２６９５４５号公報。
【０００６】
【発明が解決しようとする課題】
ところで、パチンコ機の回転ドラムユニットにおいて、遊技者をより引き付けることができるように、ドラムの径をより大きくすることを検討した。しかしながら、ドラムの径をより大きくするためには種々の障害があった。
すなわち、回転ドラムユニットが取り付けられるパチンコ機の背面側には、機構盤や賞球払出装置などの種々の機構が備えられ、また、パチンコ機が取り付けられる島設備の配置スペースも限られているためである。このため、回転ドラムユニットの占有空間をより少なくする必要があった。
【０００７】
また、中継基板とモータ基板とを接続するハーネスを、フレームの内側および外側に通さなければならず、配線が込み入ったものとなり、組立作業に手間がかかっていた。
同様の課題は、パチンコ機の回転ドラムユニットに限らず、パチスロ機などの他の遊技機の回転ドラムユニットにおいても存在する。
この発明は、かかる背景のもとでなされたもので、占有空間をより少なくして、ドラムの径をより大きくすることのできる遊技機用回転ドラムユニットを提供することを目的とする。
【０００８】
この発明の他の目的は、配線構造がより簡素化され、かつ、組立作業にかかる労力がより低減された回転ドラムユニットを提供することである。
【０００９】
【課題を解決するための手段および発明の効果】
上記の目的を達成するための請求項１記載の発明は、フレーム（１０）と、上記フレーム内に収容された、中空の回転体（２１）を有するドラム（２０）と、上記ドラム内に収容され、ドラムを回転させるためのモータ（Ｍ）が固定されたモータ駆動用電気回路基板（４２）と、上記モータ駆動用電気回路基板に連結されており、上記ドラム内においてドラムの軸方向に延び、ドラムの一方の側端からドラムおよび上記フレームの外方へその一部（４０ａ）が突出している中継用電気回路基板（４０）と、中継用電気回路基板の上記突出部に配置された、接続手段（７１）を接続するためのコネクタ（４６）と、を有することを特徴とする遊技機用回転ドラムユニット（１）である。
【００１０】
なお、括弧内の英数字は、後述の実施形態における対応構成要素等を表す。以下、この項において同じ。
この発明によれば、中継用電気回路基板は、ドラム内において、ドラムの軸方向に延びている。すなわち、中継用電気回路基板は、ドラム内に収容されている。したがって、従来、フレームの外側に取り付けられていた中継用回路基板をフレーム内に収容して遊技機用回転ドラムユニットの占有空間をより少なくでき、ドラムの径をより大きくすることができる。
【００１１】
さらに、モータ駆動用電気回路基板と中継用電気回路基板とは、ドラム内に収容されて連結されている。このため、モータ駆動用電気回路基板と中継用電気回路基板とを接続するための配線がフレームの内側と外側とを通ることはない。したがって、配線構造を簡素化でき、各基板の接続作業をより容易に行うことができる。
また、中継用電気回路基板の一部は、フレームの外方へ突出しており、この突出部にコネクタが設けられている。このため、中継用電気回路基板と、図柄制御基板などの外部の装置とを接続するハーネスなどの接続手段を、フレーム内に通す必要はない。したがって、中継用電気回路基板と外部の装置との接続作業も容易に行うことができ、組立作業にかかる労力をより低減することができる。
【００１２】
請求項２記載の発明は、上記モータ駆動用電気回路基板（４２）には、対をなすコネクタ（４５ａ，４７ａ；４５ｂ，４７ｂ）のうちの一方（４５ａ，４５ｂ）が実装されており、上記中継用電気回路基板（４０）には、対をなすコネクタのうちの他方（４７ａ，４７ｂ）が実装されており、中継用電気回路基板をドラム（２０）の一方の側端からドラム内へ差し込むことにより、中継用電気回路基板のコネクタと、モータ駆動用電気回路基板のコネクタとが結合されて、両者の電気的かつ機械的な連結が達成されることを特徴とする請求項１記載の遊技機用回転ドラムユニット（１）である。
【００１３】
この発明によれば、中継用電気回路基板をドラム内へ差し込むのみで、モータ駆動用回路基板との電気的かつ機械的な連結を極めて容易に行うことができる。
さらに、中継用電気回路基板とモータ駆動用回路基板とは、配線を介すことなく接続されている。このため、モータの制御信号の経路を格段に短くすることができる。したがって、たとえば静電気の発生に起因するモータの制御信号のノイズを格段に低減することができる。
【００１４】
また、中継用電気回路基板とモータ駆動用回路基板とを接続するための配線を廃止（たとえば、ドラム１個につき配線を８本廃止）することができ、配線構造をより簡素化することができる。
請求項３記載の発明は、上記中継用電気回路基板（４０）は、ランプ（５２）の点灯制御用電気回路基板を兼ねていることを特徴とする請求項１または２記載の遊技機用回転ドラムユニット（１）である。
【００１５】
従来、ランプの制御信号は、図柄制御基板などの外部の装置で生成され、ハーネスを介して中継用電気回路基板に与えられていた。
この発明によれば、ランプの制御信号は、中継用電気回路基板で生成されるようになっている。このため、図柄制御基板などの外部の装置と中継用電気回路基板との間において、ランプ制御用の配線を廃止できる。したがって、中継用電気回路基板と外部の装置とを接続するための配線の数を格段に低減（たとえば１００本低減）して、配線構造をより一層簡素化することができる。
【００１６】
また、ランプの制御信号の経路を格段に短くすることができ、たとえば静電気の発生に起因するランプの制御信号のノイズを格段に低減することができる。
請求項４記載の発明は、上記ドラム（２０）内には、さらに、複数のランプ（５２）が配置されたランプ基板（５１）が収容されており、ランプ基板と中継用電気回路基板（４０）とを接続する接続手段（７２，７３）が備えられていることを特徴とする請求項３記載の遊技機用回転ドラムユニット（１）である。
【００１７】
この発明によれば、ランプ基板と中継用電気回路基板とを共にドラム内に収容している。このため、ランプ基板と中継用電気回路基板との距離を格段に短くして、ハーネスなどの接続手段の長さを格段に短くすることができる。したがって、配線構造をより簡素化して、これら両基板の接続をより容易に行うことができる。
さらに、ランプの制御信号の経路をより短くすることができ、たとえば静電気の発生に起因するこの制御信号のノイズを、より低減することができる。
【００１８】
【発明の実施の形態】
以下には、図面を参照して、この発明の実施形態について具体的に説明する。
図１は、この発明の一実施形態にかかる回転ドラムユニット１の正面側の外観構成を示す斜視図であり、図２は、背面側の外観構成を示す斜視図である。この回転ドラムユニット１は、パチンコ機の回転ドラムユニットであり、パチンコ機の遊技盤面に配置されるものである。
【００１９】
図１および図２を参照して、回転ドラムユニット１は、フレーム１０と、１個のドラム２０とを有している。フレーム１０は、ドラム２０を回転可能に保持するためのものであり、ドラム２０は、このフレーム１０に保持されている。フレーム１０は、正面の略全面に開口が形成されており、この開口の内側を視認できる状態で遊技盤面に取り付けられるようになっている。
図３は、回転ドラムユニット１を背面側から見た分解斜視図である。図３を参照して、フレーム１０は、右半部１０ａと左半部１０ｂとを含み、左右２分割の構成となっている。
【００２０】
図４は、回転ドラムユニット１を正面側から見た分解斜視図である。なお、図４では、フレーム１０の右半部１０ｂの図示を省略している。図４を参照して、ドラム２０は、周面壁２１（回転体）、連結部２２、および、周面壁２１と連結部２２とを連結する輻（スポーク）２３を有している。
周面壁２１は、たとえば、中空の円筒状に形成されている。また、周面壁２１は透光性を有しており、周面壁２１を内方から照明することで、周面壁２１に描かれた図柄が光っているように見せることができる。周面壁２１の正面左側（軸方向一方）の側端は開放されており、正面右側（軸方向他方）の側端には、輻２３が設けられている。
【００２１】
輻２３は、周面壁２１の内周に周方向等配に複数（たとえば、６本）配置されている。各輻２３の一端部はそれぞれ、周面壁２１の内周に固定されている。各輻２３はそれぞれ、周面壁２１の軸線に向かって延びており、他端部が連結部２２に固定されている。
連結部２２は、周面壁２１と同心に配置されており、連結部２２の軸線と周面壁２１の軸線とは重なっている。
【００２２】
図１および図２を参照して、フレーム１０は、正面が開放された箱状に形成されており、ドラム２０は、正面側の一部をフレーム１０の前方に突出させた状態で、フレーム１０の正面内方に配置されている。すなわち、ドラム２０は、その正面側の一部はフレーム１０から突出し、その他の部分はフレーム１０内に収容されている。
具体的には、フレーム１０の右側の側面は、ドラム２０の右側方に位置しており、略鉛直方向に延びて、ドラム２０の右側の側端の一部を覆っている。フレーム１０の左側の側面は、ドラム２０の左側方に位置しており、略鉛直方向に延びて、ドラム２０の左側の側端の一部を覆っている。
【００２３】
フレーム１０の底面は、ドラム２０の周面壁２１の下方に位置し、後方に向けて略水平に延びており、ドラム２０の周面壁２１の一部を下方から覆っている。フレーム１０の上面は、ドラム２０の周面壁２１の上方から、この周面壁２１の後方側部分を囲うように後方に延びつつ下側に湾曲し、さらに周面壁２１の後方で略鉛直下方に延びて背面を構成し、フレーム１０の底面と繋がっている。
これにより、フレーム１０は、ドラム２０の周面壁２１の一部を上方および後方から覆っている。また、フレーム１０の上面および底面は、右側の側面および左側の側面と接続されている。
【００２４】
ドラム２０をフレーム１０の前方に突出させることで、フレーム１０の奥行き方向の長さを短くできる。したがって、この回転ドラムユニット１が遊技盤の背面側で占有する空間をより小さくでき、ドラム２０の径をより大きくすることができる。フレーム１０が遊技盤に取り付けられた状態において、ドラム２０の正面側の一部は、遊技盤面の前方に突出し、また、遊技盤面の前方に所定の間隔（たとえば、２０ｍｍ）を開けて配置される透明板の後方に位置するようになっている。
【００２５】
フレーム１０の右側の側面とドラム２０の右側の側端との間、および、フレーム１０の左側の側面とドラム２０の左側の側端との間にはそれぞれ、球通路３０が配置されている。球通路３０は、遊技盤面を落下する遊技球をフレーム１０の奥側底部に導くためのものである。各球通路３０は、フレーム１０の手前側において、フレーム１０の上方からドラム２０の周面壁２１の下端側にかけて略鉛直下方に延び、さらにフレーム１０の奥側に延びている。遊技球は、各球通路３０の何れかにフレーム１０の手前側から入り、フレーム１０の奥側に導かれてフレーム１０の底面上に排出されるようになっている。
【００２６】
図４を参照して、フレーム１０の左半部１０ｂには、左側の側面からドラム２０の回転軸方向（略水平方向。以下「軸方向」という）右側に延びる内フレーム１２が設けられている。この実施形態において、内フレーム１２は、フレーム１０（の左半部１０ｂ）とは別部材により構成され、フレーム１０に固定される構成を説明するが、フレーム１０と内フレーム１２とを一体に形成してもよい。
内フレーム１２は、略右半部がドラム２０の周面壁２１に差し込まれるようになっている。これにより、内フレーム１２の略右半部は、周面壁２１に取り囲まれてドラム２０内に収容されるようになっている。この内フレーム１２は、ベースフレーム１２１とカバーフレーム１２２とを有している。
【００２７】
図５は、内フレーム１２を分解した状態を示す斜視図である。図６は、ベースフレーム１２１の構成を説明するための正面図である。なお、図６では、フレーム１０の左半部１０ｂの下部および、ハーネス７１，７２，７３は省略している。また、図６では、中継基板４０（中継用電気回路基板）、ドラム２０を回転させるためのモータＭ、およびモータ基板４２（モータ駆動用電気回路基板）をベースフレーム１２１に取り付けた状態を示しており、モータ基板４２は、一部を切り欠いて図示している。
【００２８】
図５を参照して、ベースフレーム１２１は、内フレーム１２の奥側半部を構成している。ベースフレーム１２１は、正面が開放された箱状に形成されており、左端部がフレーム１０の左半部１０ｂの上端寄りに固定されている。このため、フレーム１０内の空間のうち、内フレーム１２の下方の空間が広くなっている。ベースフレーム１２１は、モータ基板４２を収容することができるようになっている。図４および図６を参照して、モータ基板４２は、略中央部に開口４２ａを有しており、この開口４２ａにモータＭが嵌め込まれている。より具体的には、モータＭは、その回転軸４３がモータ基板４２の表面４２ｂから突出するように開口４２ａに嵌め込まれ、固定されている。
【００２９】
モータ基板４２の裏面４２ｃには、コネクタ４５ａ，４５ｂが実装されており、これら各コネクタ４５ａ，４５ｂを通して、モータＭの制御信号が入力されるようになっている。
図５および図６を参照して、ベースフレーム１２１の右端部には、モータＭを保持するための保持溝１２６が設けられている。この保持溝１２６は、モータＭのケーシングの外形の一部に略対応する形状に形成されている。この保持溝１２６にモータＭを嵌め込むことで、モータＭの回転軸４３の軸線は、ドラム２０の軸線と略一致する（略水平になる）ようになっている。
【００３０】
また、ベースフレーム１２１の右端部には、モータ基板４２のコネクタ４５ａ，４５ｂの位置に対応する位置、具体的には、保持溝１２６の上方および下方に、対応するコネクタ４５ａ，４５ｂを挿通するための挿通孔１２７が形成されている。モータ基板４２は、裏面４２ｃをベースフレーム１２１の右側面と当接させてこのベースフレーム１２１に取り付けられる。
上記の構成により、コネクタ４５ａ，４５ｂは、対応する挿通孔１２７に挿通されてベースフレーム１２１内に収容され、モータＭの回転軸４３は、ベースフレーム１２１から軸方向右側へ突出する。
【００３１】
図２，図５，および図６を参照して、このベースフレーム１２１は、さらに、中継基板４０を収容するようになっている。中継基板４０は、回転ドラムユニット１から離れた位置に設けられた図柄制御基板７０から与えられる制御信号を、受け取ることができるようになっている。本実施形態において、図柄制御基板７０は、モータＭの制御信号を生成して中継基板４０に与えるようになっている。
中継基板４０は、横長の板状に形成されており、複数のコネクタ（第１のコネクタ４６、第２のコネクタ４７ａ，４７ｂ、第３のコネクタ４８ａ，４８ｂ）を有している。
【００３２】
第１のコネクタ４６は、図柄制御基板７０から与えられるモータＭの制御信号を受け取るためのものであり、中継基板４０の長手方向一端部４０ａのたとえば裏面に実装されている。
第２のコネクタ４７ａ，４７ｂは、図柄制御基板７０から与えられたモータＭの制御信号を、モータ基板４２に与えるためのものである。第２のコネクタ４７ａ，４７ｂは、モータ基板４２のコネクタ４５ａ，４５ｂの位置に対応する位置に実装されている。具体的には、第２のコネクタ４７ａ，４７ｂは、中継基板４０の長手方向他端部４０ｂにおいて、短手方向両端のたとえば表面に実装されている。第２のコネクタ４７ａ，４７ｂは、モータ基板４２の対応するコネクタ４５ａ，４５ｂに接続されて、それぞれ対をなすようになっている。
【００３３】
中継基板４０の長手方向他端部４０ｂは、短手方向に関して、第２のコネクタ４７ａ，４７ｂ間が切り欠かれている。これにより、第２のコネクタ４７ａ，４７ｂと、モータ基板４２の対応するコネクタ４５ａ，４５ｂとを接続しても、中継基板４０にモータＭが当たることはない。
第３のコネクタ４８ａ，４８ｂは、ランプの制御信号を出力するためのものであり、中継基板４０の長手方向一端部４０ａのたとえば裏面に実装されている。なお、本実施形態において、中継基板４０は、ランプの点灯制御用電気回路基板を兼ね備えており、ランプの制御信号は、この中継基板４０で生成されるようになっている。
【００３４】
図５および図６を参照して、ベースフレーム１２１の内側の上端部および下端部にはそれぞれ、中継基板４０を保持するための保持部１２３が設けられている。
保持部１２３は、奥側片１２４と、手前側片１２５とを有している。奥側片１２４は、ベースフレーム１２１の奥側において、軸方向に沿ってたとえば３つ並んで配置されている。各奥側片１２４の正面は、中継基板４０の裏面の形状に対応して、軸方向に沿って互いに面一に形成されており、中継基板４０の裏面と当接するようになっている。
【００３５】
手前側片１２５は、奥側片１２４より手前側において、軸方向に沿ってたとえば２つ並んで配置されている。各手前側片１２５の裏面は、中継基板４０の正面の形状に対応して、軸方向に沿って互いに面一に形成されており、中継基板４０の正面と当接するようになっている。また、奥側片１２４と手前側片１２５とは、前後方向に関して、中継基板４０の略肉厚分の隙間を有している。
また、ベースフレーム１２１は、図２に示すように、左側面１２１ａ（図２において右側の側面）の一部が切り欠かれており、この切り欠かれた部分から中継基板４０を差し込むことができる。
【００３６】
図５を参照して、中継基板４０は、長手方向他端部４０ｂを右側へ向けて、すなわち、軸方向に延びるようにして、ベースフレーム１２１の左側面１２１ａ側（軸方向一方の側端側）からベースフレーム１２１に差し込まれる。
上記の構成により、中継基板４０は、保持部１２３に保持されて、ベースフレーム１２１内、すなわち、ドラム２０内に収容される。さらに、中継基板４０の第２のコネクタ４７ａ，４７ｂは、モータ基板４２の対応するコネクタ４５ａ，４５ｂに差し込まれて結合される。これにより、中継基板４０とモータ基板４２とは、電気的かつ機械的に連結される。
【００３７】
ベースフレーム１２１内に収容された中継基板４０の長手方向一端部４０ａは、ドラム２０の左側の側端から、フレーム１０の左側方（外方）へ突出している。すなわち、第１のコネクタ４６は、フレーム１０から突出している。
図２を参照して、図柄制御基板７０と中継基板４０とは、ハーネス７１（接続手段）を介して接続されている。中継基板４０の第１のコネクタ４６は、ハーネス７１の一方のコネクタ７１ａと接続されている。また、ハーネス７１の他方のコネクタ７１ｂは、図柄制御基板７０のコネクタ７０ａと接続されている。
【００３８】
上記の構成により、図柄制御基板７０で生成されたモータＭの制御信号は、中継基板４０などを介してモータ基板４２（図６参照）に与えられ、モータＭの駆動制御を行うようになっている。なお、本実施形態において、ハーネス７１の配線の数は、たとえば２８本である。
図４を参照して、カバーフレーム１２２は、内フレーム１２の正面側半部を構成しており、ベースフレーム１２１の正面側を覆うようにしてベースフレーム１２１に固定されている。
【００３９】
カバーフレーム１２２は、さらに、バックライトユニット５０の一部を構成している。バックライトユニット５０は、カバーフレーム１２２と、一対のランプ基板５１と、各ランプ基板５１にたとえば横に３列、縦に２列の行列状に配置された複数のランプ５２とを含んでいる。
カバーフレーム１２２は、その略右半部が断面「く」字状に形成されており、鉛直方向略中央の屈曲部１２２ａの上側に位置する右上半部１２２ｂと、屈曲部１２２ａの下側に位置する右下半部１２２ｃとを有している。右上半部１２２ｂおよび右下半部１２２ｃにはそれぞれ、透光用の窓１２８が、ランプ基板５１の各ランプ５２の位置に対応する位置に形成されている。
【００４０】
カバーフレーム１２２の右上半部１２２ｂおよび右下半部１２２ｃにはそれぞれ、内側からランプ基板５１が取り付けられ、各ランプ５２が対応する各窓１２８を通して、カバーフレーム１２２の外方に露出するようになっている。
図２および図５を参照して、各ランプ基板５１と中継基板４０とは、ハーネス７２，７３（接続手段）を介して接続されている。ハーネス７２，７３の一方のコネクタ７２ａ，７３ａはそれぞれ、中継基板４０の対応する第３のコネクタ４８ａ，４８ｂに接続されている。また、ハーネス７２，７３の他方のコネクタは、各ランプ基板５１の対応するコネクタに接続されるようになっている。
【００４１】
上記の構成により、中継基板４０で生成されたランプの制御信号は、各ランプ基板５１に与えられ、各ランプ５２は、この制御信号に基づいて種々の態様で点灯し、ドラム２０の周面壁２１を内方から照らす。
図４を参照して、モータＭの回転軸４３には、継手部材３５が取り付けられている。この継手部材３５を介して、モータＭの回転軸４３とドラム２０とは一体回転可能に連結されている。具体的には、前述したドラム２０の連結部２２が、その軸線をモータＭの回転軸４３の軸線と重なるようにして継手部材３５に連結されている。
【００４２】
上記の構成により、ドラム２０はモータＭにより略水平方向に延びる軸線回りに回転可能となっている。また、内フレーム１２は、ドラム２０の周面壁２１に取り囲まれた部分がフレーム１０の正面内側から隠れるようになっている。
さらに、内フレーム１２のうち、ドラム２０の周面壁２１の左方に位置する部分（ドラム２０の左側の側端から突出する部分）は、フレーム１０の正面内側から隠れるようになっている。
【００４３】
具体的には、左側の球通路３０のうち鉛直方向に延びる部分が内フレーム１２の前方に位置している。また、左側の球通路３０の右側の側面には、内フレーム１２の一部を取り囲む円盤部材６０が取り付けられている。円盤部材６０には、挿通孔６０ａが形成されており、この挿通孔６０ａに内フレーム１２が挿通されている。
また、円盤部材６０の外周には、ドラム２０の周面壁２１の外径より大きな外径を有し、軸方向右側に延びる環状縁部６０ｂが形成されている。図１を参照して、ドラム２０の周面壁２１の左端部は、環状縁部６０ｂの内方に位置するようになっている。
【００４４】
一方、右側の球通路３０には、左側の球通路３０と同様に円盤部材６１が取り付けられており、ドラム２０の周面壁２１の右端部は、円盤部材６１の環状縁部６１ｂの内方に位置するようになっている。
フレーム１０の右側の側面には、ドラム２０の周面壁２１の内方付近に、フレーム１０の内側および外側の空間を連通する放熱孔１３がたとえば複数設けられている。これにより、ドラム２０内に収容された中継基板４０やモータ基板４２などから発せられる熱を、フレーム１０の外側へ良好に放散できるようになっている。
【００４５】
また、ドラム２０の周面壁２１の下方とフレーム１０の底面との間には、奥行きのある空間Ｓが含まれており、ドラム２０は、空間Ｓ内に浮いたように見えるようになっている。
この実施形態によれば、中継基板４０は、ドラム２０内に収容されている。したがって、従来、フレームの外側に取り付けられていた中継基板をフレーム１０内に収容してこの回転ドラムユニット１の占有空間をより少なくでき、ドラム２０の径をより大きくすることができる。
【００４６】
また、モータ基板４２と中継基板４０とは、ドラム２０内に収容されて配線を介すことなく直接的に接続（連結）されている。このため、モータ基板４２と中継基板４０とを接続するための配線がフレーム１０の内側と外側とを通ることはない。したがって、配線構造を簡素化でき、モータ基板４２と中継基板４０との接続作業をより容易に行うことができる。
さらに、中継基板４０のコネクタ４７ａ，４７ｂとモータ基板４２の対応するコネクタ４５ａ，４５ｂとを直接接続することで、モータＭの制御信号の経路を格段に短くすることができ、たとえば静電気の発生に起因するモータＭの制御信号のノイズを格段に低減することができる。
【００４７】
さらにまた、中継基板４０とモータ基板４２とを接続するための配線を廃止（本実施形態においては、配線を８本廃止）することで、配線構造をより簡素化することができる。
また、中継基板４０をドラム２０内へ差し込むのみで、モータ基板４２との電気的かつ機械的な連結を極めて容易に行うことができる。
さらに、中継基板４０の長手方向一端部４０ａは、フレーム１０の外方へ突出しており、この長手方向一端部４０ａに第１のコネクタ４６が設けられている。このため、中継基板４０と図柄制御基板７０とを接続するハーネス７１を、フレーム１０内に通す必要はない。したがって、中継基板４０と図柄制御基板７０との接続作業も容易に行うことができ、組立作業にかかる労力をより低減することができる。
【００４８】
さらに、各ランプ５２の制御信号は、中継基板４０で生成されるようになっている。このため、図柄制御基板７０と中継基板４０との間において、ランプ制御用の配線を廃止できる。したがって、中継基板４０と図柄制御基板７０とを接続するハーネス７１の配線の数を格段に低減（本実施形態においては、配線を１００本低減）して、配線構造をより一層簡素化することができる。
また、ランプの制御信号の経路を格段に短くすることができ、たとえば静電気の発生に起因するこの制御信号のノイズを格段に低減することができる。
【００４９】
さらに、各ランプ基板５１と中継基板４０とを共にドラム２０内に収容している。このため、各ランプ基板５１と中継基板４０との距離を格段に短くしてハーネス７２，７３の長さを格段に短くすることができる。したがって、配線構造をより簡素化して、これら両基板５１，４０の接続をより容易に行うことができる。
さらに、ランプの制御信号の経路をより短くすることができ、たとえば静電気の発生に起因するこの制御信号のノイズを、より低減することができる。
【００５０】
この発明は、以上の実施形態の内容に限定されるものではなく、請求項記載の範囲内において種々の変更が可能である。
たとえば、ドラム２０の周面壁２１の形状は、円筒状に限らず、たとえば、多角環状であってもよい。
また、フレーム１０の左半部１０ｂにベースフレーム１２１を取り付ける構成を説明したが、フレーム１０の右半部１０ａにベースフレーム１２１を取り付ける構成であってもよい。また、回転ドラムユニットに装着されるドラムの個数は、１個に限らず、たとえば、２個であってもよいし、３個以上であってもよい。
【００５１】
この発明の一実施形態として、パチンコ機の回転ドラムユニットについて説明したが、この発明はパチスロ機などの他の遊技機の回転ドラムユニットにも適用することができる。
【図面の簡単な説明】
【図１】この発明の一実施形態にかかる回転ドラムユニットの正面側の外観構成を示す斜視図である。
【図２】回転ドラムユニットの背面側の外観構成を示す斜視図である。
【図３】回転ドラムユニットを背面側から見た分解斜視図である。
【図４】回転ドラムユニットを正面側から見た分解斜視図である。
【図５】内フレームを分解した状態を示す斜視図である。
【図６】ベースフレームの構成を説明するための正面図である。
【符号の説明】
１０    フレーム
２０    ドラム
２１    周面壁（回転体）
４０    中継基板（中継用電気回路基板，ランプの点灯制御用電気回路基板）
４０ａ  長手方向一端部（突出部）
４２    モータ基板（モータ駆動用電気回路基板）
４５ａ，４５ｂ，４６，４７ａ，４７ｂ  コネクタ
５１    ランプ基板
５２    ランプ
７１，７２，７３  ハーネス（接続手段）
Ｍ      モータ
【図１】
2004290526.tif 000003
【図２】
2004290526.tif 000004
【図３】
2004290526.tif 000005
【図４】
2004290526.tif 000006
【図５】
2004290526.tif 000007
【図６】
2004290526.tif 000008